(57)【要約】【課題】吸込口周囲からのタバコ煙を逃がさずに導いて吸込むことにより、煙や有害ガスの周囲への拡散を防止し、周囲や非喫煙者への影響を回避することの可能な小型の卓上用空気清浄機を提供すること。【解決手段】机２００上など喫煙者と略対面して載置され、喫煙時および灰皿載置時に発生するタバコ煙３０１を、その発生源の近傍で吸い込み、清浄空気として吐き出す卓上用空気清浄機１００において、載置面に対して所定の傾斜角を成した面に設けられた吸込口１０５と、タバコ煙３０１を吸込口１０５から吸引する吸引手段（送風部１０３）と、吸引手段で吸引したタバコ煙３０１に含まれる粉塵を集塵する集塵部１０１と、集塵部１０１を通過した空気に含まれる有害ガス成分を除去する除去手段（脱臭部１０２）と、吸込口１０５の上部にタバコ煙３０１を導くフード１１５と、を備える。【選択図】      図１
2004163006.tif 000002
【特許請求の範囲】
【請求項１】
机上など喫煙者と略対面して載置され、喫煙時および灰皿載置時に発生するタバコ煙を、その発生源の近傍で吸い込み、清浄空気として吐き出す卓上用空気清浄機において、
載置面に対して所定の傾斜角を成した面に設けられた吸込口と、
前記タバコ煙を前記吸込口から吸引する吸引手段と、
前記吸引手段で吸引したタバコ煙に含まれる粉塵を集塵する集塵手段と、
前記集塵手段を通過した空気に含まれる有害ガス成分を除去する除去手段と、
前記吸込口の上部に前記タバコ煙を導く導風壁と、
を備えたことを特徴とする卓上用空気清浄機。
【請求項２】
前記導風壁は、前記吸込口の上部の他に、前記吸込口の左右側部から前記吸込口方向に張り出された形状を有することを特徴とする請求項１に記載の卓上用空気清浄機。
【請求項３】
前記導風壁は、装置本体に対して着脱可能な構成であることを特徴とする請求項１または２に記載の卓上用空気清浄機。
【請求項４】
前記導風壁は、前記吸込口が設けられた面に対して開閉可能に構成されていることを特徴とする請求項１、２または３に記載の卓上用空気清浄機。
【請求項５】
前記導風壁は、装置本体から取り外された状態で、前記吸込口が設けられた面を覆う形状であることを特徴する請求項３に記載の卓上用空気清浄機。
【請求項６】
前記導風壁は、前記吸込口が設けられている面を覆うように閉じられることを特徴とする請求項４に記載の卓上用空気清浄機。
【請求項７】
前記導風壁は、透過率が約５０％以上のプラスチック材料で形成されていることを特徴とする請求項１〜６の何れか一つに記載の卓上用空気清浄機。
【請求項８】
さらに、前記吸込口の左右側部に所定の高さで形成されたリブを備えたことを特徴とする請求項１に記載の卓上用空気清浄機。
【請求項９】
前記傾斜角は、喫煙者側の机上面から１２０度前後であることを特徴とする請求項１に記載の卓上用空気清浄機。
【発明の詳細な説明】
【０００１】
【発明の属する技術分野】
本発明は、タバコの煙や粉塵を吸引して集塵し、さらに脱臭して清浄後の空気を吐き出す卓上用空気清浄機に関し、より詳細には、喫煙時に発生する煙や有害ガスを、フード（導風壁）によって誘引し、タバコの煙や有害ガスの周囲への拡散を防止する卓上用空気清浄機に関する。
【０００２】
【従来の技術】
昨今、健康や環境などへの強い配慮からタバコの喫煙が、分煙や喫煙コーナなど制限されることが多くなってきている。このため、オフィスや一般家庭においては、喫煙による煙を周囲（部屋、非喫煙者）に拡散させずに吸引口に導いて吸引し、喫煙などの行為による煙、臭いなど、周囲に対して影響を少なくする装置が知られている。
【０００３】
たとえば、机上などの上に載置され、タバコの煙およびその粉塵を吸込んで捕集し、清浄空気を吐き出す空気清浄機が知られている。特に、箱状筐体の前面に吸込面を設け、さらにこの吸込面の周辺領域にタバコの煙などの空気の流れをガイド部材（フード）により強制的に導く空気清浄装置が開示されている（たとえば、特許文献１参照）。
【０００４】
【特許文献１】
特開平１１−３１１４２９号公報
【０００５】
【発明が解決しようとする課題】
しかしながら、上記に示されるような従来の空気清浄装置（特許文献１）にあっては、吸込面が机上面に対して垂直に立っている構成であるため、この垂直上部および側部にフードを装着すると装置全体が大型になってしまうという問題点があった。
【０００６】
本発明は、上記に鑑みてなされたものであって、吸込口周囲からのタバコ煙を逃がさずに導いて吸込むことにより、煙や有害ガスの周囲への拡散を防止し、周囲や非喫煙者への影響を回避することの可能な小型の卓上用空気清浄機を提供することを目的とする。
【０００７】
【課題を解決するための手段】
上記の目的を達成するために、請求項１にかかる卓上用空気清浄機にあっては、机上など喫煙者と略対面して載置され、喫煙時および灰皿載置時に発生するタバコ煙を、その発生源の近傍で吸い込み、清浄空気として吐き出す卓上用空気清浄機において、載置面に対して所定の傾斜角を成した面に設けられた吸込口と、前記タバコ煙を前記吸込口から吸引する吸引手段と、前記吸引手段で吸引したタバコ煙に含まれる粉塵を集塵する集塵手段と、前記集塵手段を通過した空気に含まれる有害ガス成分を除去する除去手段と、前記吸込口の上部に前記タバコ煙を導く導風壁と、を備えたものである。
【０００８】
この発明によれば、喫煙者が吐き出すタバコ煙を吸込んで、粉塵と共に捕集して脱臭し、清浄空気を吐き出す空気清浄機において、特に、吸込口が設けられている面を喫煙者に対向するように所定角で傾斜させ、かつ吸込口の上部にフード（導風壁）を装着する構成とし、装置近傍でタバコが吸われた場合、その副流煙や主流煙をフード（導風壁）によって吸込口上部から逃がさずに導くことにより、タバコ煙が周囲に拡散することを回避することが可能になると共に、製品の高さ寸法を一定とした場合、吸込口が設けられている面を所定角をもって吸込口面が傾斜することにより、その分、吸込み面積を大きくすることが可能になる。特に、集塵手段がフィルター方式の場合はろ材面積を、電気集塵方式の場合は集塵板の面積を広くとることができ、吸込口のある面を一定角度机上方向に倒す前と比較して集塵部分の寿命を長くすることが可能になる。
【０００９】
また、請求項２にかかる卓上用空気清浄機にあっては、前記導風壁は、前記吸込口の上部の他に、前記吸込口の左右側部から前記吸込口方向に張り出された形状を有するものである。
【００１０】
この発明によれば、請求項１において、吸込口面の上部および側部をフード（導風壁）で囲んで覆うことにより、その覆われた範囲において、タバコから発生した副流煙および主流煙がきた場合にタバコ煙を周囲に逃がさずに導くことが可能になる。
【００１１】
また、請求項３にかかる卓上用空気清浄機にあっては、前記導風壁は、装置本体に対して着脱可能な構成とするものである。
【００１２】
この発明によれば、請求項１または２において、本機がタバコの煙の発生源付近で使用されない場合、機能的な役割を果たさないフード（導風壁）を取り外して別のところにおくことにより、本体の大きさが小さくなりかつ移動しやすくなる。
【００１３】
また、請求項４にかかる卓上用空気清浄機にあっては、前記導風壁は、前記吸込口が設けられた面に対して開閉可能に構成されているものである。
【００１４】
この発明によれば、請求項１、２または３において、フード（導風壁）が吸込口面が設けられた面に開閉可能、すなわち折りたためる構成とすることにより、折りたたむだけで、つまり取り外すことなく、フードをおくスペースを装置上で確保することが可能になる。
【００１５】
また、請求項５にかかる卓上用空気清浄機にあっては、前記導風壁は、装置本体から取り外された状態で、前記吸込口が設けられた面を覆う形状とするものである。
【００１６】
この発明によれば、請求項３において、フード（導風壁）を本体から取り外した後、吸込口面を覆うような形で収納し装着することにより、装置が運転状態でない場合においてタバコのヤニやタール、ニコチンを除去した集塵部・脱臭部からの臭いの漏れを抑制することが可能になる。
【００１７】
また、請求項６にかかる卓上用空気清浄機にあっては、前記導風壁は、前記吸込口が設けられている面を覆うように閉じられるものである。
【００１８】
この発明によれば、請求項４において、フード（導風壁）を本体から取り外すことなく吸込口面を覆うような形で閉じられることにより、装置が運転状態でない場合においてタバコのヤニやタール、ニコチンを除去した集塵部・脱臭部からの臭いの漏れを簡単な操作で抑制することが可能になる。
【００１９】
また、請求項７にかかる卓上用空気清浄機にあっては、前記導風壁は、透過率が約５０％以上のプラスチック材料で形成されているものである。
【００２０】
この発明によれば、請求項１〜６の何れか一つにおいて、フード（導風壁）を半透明のプラスチック材料で形成することにより、製品の見かけ上の大きさをあまり大きくみせることなく、使用者に対する圧迫感がなくなる。また、タバコの煙が実際に吸込まれる様子が、装置の正面および側部から確認することが可能になる。
【００２１】
また、請求項８にかかる卓上用空気清浄機にあっては、さらに、前記吸込口の左右側部に所定の高さで形成されたリブを備えたものである。
【００２２】
この発明によれば、請求項１において、吸込口面の左右側部に、ある一定の高さのリブ形状を設けることにより、吸込口近傍まで達したタバコ煙を、吸込口の左右方向に逃がすことなく吸引することが可能になる。
【００２３】
また、請求項９にかかる卓上用空気清浄機にあっては、前記傾斜角は、喫煙者側の机上面から１２０度前後とするものである。
【００２４】
この発明によれば、請求項１において、製品の高さ寸法を一定とした場合、吸込口が設けられている面を、喫煙者側の机上面から１２０度前後に傾斜することにより、たとえば、１２０度の場合、垂直と比較してその吸込み面積を２／１．７３倍に広くすることが可能になる。
【００２５】
【発明の実施の形態】
以下、本発明にかかる卓上用空気清浄機の好適な実施の形態について添付図面を参照し、詳細に説明する。なお、この実施の形態は一例を示すものであり、本発明はこの実施の形態に限定されるものではない。
【００２６】
本発明の卓上用空気清浄機は、たとえば、机上で仕事を行なったり、本を読みながら喫煙する場合などに利用され、送風部により、タバコから発生する煙を吸込むことにより、部屋にタバコの煙が広がる前に、効率よく吸込口から吸煙し、集塵部で粉塵の除去（捕集）を行ない、さらに脱臭部において有害ガス成分を除去（脱臭）するものである。
【００２７】
特に、喫煙時において、タバコから立ち上がる煙（副流煙）、喫煙者から吐き出される煙（主流煙）、これらの煙に含まれる有害ガス成分を発生源の近傍で吸込む際に、フードを利用して効果的に煙を誘引するなど、周囲（部屋、非喫煙者）への煙の拡散を防止することにより、部屋の空気汚染を抑制し、かつ非喫煙者の受動喫煙を回避するものである。以下、具体的に説明する。
【００２８】
図１は、本発明の実施の形態にかかる卓上用空気清浄機の主要構成およびその使用状態、空気の流れを示す説明図である。図２は、図１における卓上用空気清浄機の空気の流れを模式的に示したブロック図である。図３は、図１における卓上用空気清浄機の概観構成を示す側面図である。図４は、図１における卓上用空気清浄機における吸込面側からみた概観構成を示す正面図である。
【００２９】
図示するように、この卓上用空気清浄機１００は、机２００などに載置され、喫煙者（不図示）の行為により生じるタバコ煙３０１を吸い込み、集塵し、脱臭して清浄化する機能を備えたものである。なお、この実施の形態においては、支障のない限り、タバコから立ち上がる煙（副流煙）、喫煙者から吐き出される煙（主流煙）、これらの煙に含まれる有害ガス成分のすべてを総称してタバコ煙と記述する。
【００３０】
卓上用空気清浄機１００は、清浄機能を実現するために、タバコ煙３０１に含まれる粉塵を集塵する集塵部１０１と、集塵後のタバコ煙３０１に含まれる有毒ガス成分を除去することで脱臭する脱臭部１０２と、ファンの回転により装置前面からタバコ煙３０１を吸引するための吸引風を発生させる送風部１０３と、を備えている。
【００３１】
また、図４における符号１４０は電源スイッチや清浄の強弱選定スイッチなどの操作スイッチ群や、清浄状態やフィルタの交換サインなどをＬＣＤやＬＥＤなどによって表示する機能を備えた操作・表示部である。
【００３２】
集塵部１０１としては、空気中の微粒子に電荷を与えて荷電した微粒子を静電気により捕集する電気集塵方式、ろ過材によるエアフィルタ方式の何れであってもよい。しかし、電気集塵方式の場合は別に高圧電源が必要になるので、省スペース（小型・軽量化）および経済性の関係から、電源などが不要なエアフィルタ方式の方が好ましい。
【００３３】
脱臭部１０２としては、オゾン方式や、ハニカム状の壁に光触媒を担持した光触媒方式など様々な方式が公知技術として用いられているが、これらの方式でも電源部が別に必要になるため、活性炭などによって有害ガス成分を吸着する活性炭吸着方式を、省スペース、経済性の面から採用することが好ましい。
【００３４】
送風部１０３に用いるファンとしては、プロペラファン、シロッコファン、クロスフローファンなど様々な種類が存在するが、圧力損失に強いという特性の観点からシロッコファンを用いることが望ましい。さらに、このファンの型式・仕様選定にあたっては、この卓上用空気清浄機１００は、机２００などに載置され、喫煙者のすぐ近くで使用されることが多いため、静音性に優れ、かつ省スペースであることが要求される。このため、静かで、かつ小型のモールドタイプ（ケーシング、羽根などがプラスチック成形品で構成されている）のファンモータで構成することが好ましい。
【００３５】
さらに、この卓上用空気清浄機１００は、前面に、タバコ煙３０１を吸込むための多数の穴が形成された吸込口１０５と、吸込口１０５の左右側部に設けられた小壁状のリブ１１０と、吸込口１０５の上部および側面を囲むように設けられ、タバコ煙３０１を誘引するフード１１５と、フード１１５をワンタッチ（たとえば、凹部と凸部との嵌合方式）で装着するための装着部１１６と、を備えている。
【００３６】
以上の構成において、タバコ煙３０１は温かい風であるゆえに上方向に立ちあがって行く性質があり、このため、そのタバコ煙３０１は吸込口１０５から吸込まれる際に、天井方向に逃げるタバコ煙３０１をフード１１５で導くことにより、吸込口１１５における吸煙効率を向上させることができる。
【００３７】
また、装置側部側からもタバコ煙３０１が逃げてしまうので、吸込口１０５の側部左右に、一定の高さを有するリブ１１０を設ける。なお、このリブ１１０の高さを大きくすることは、デザイン上において好ましくない場合には、半透明のフード１１０の側部を大きくすることにより、見かけ上大きく見えることがなくなり、効果的にタバコ煙３０１を吸込口１０５に導くことができる。
【００３８】
ところで、図１および図３に示すように、複数の吸込口１０５が設けられている面は、机２００の面に対して所定角で傾斜していることが好ましい。すなわち、吸込口１０５の面を傾斜させることにより、製品の高さが同一である場合、吸込口１０５の総面積を広げることができる。
【００３９】
図３において、机上面と吸込口１０５が設けらている面との傾斜の角度θが小さいほど、製品の高さを一定とした場合、集塵部１０１の面積を広くとることができるが、あまり傾斜の角度θを小さくしてしまうと、製品を設置するための面積が大きくなってしまう。たとえば、傾斜の角度θを６０°とした場合、傾斜のないとき（９０°）と比較して、その吸込み面積を２／１．７３倍とすることができる。
【００４０】
上記傾斜の角度θは、デザイン的な観点やフード１１５の大きさ、フード１１５の取付角度とそれに伴うフード１１５の先端と机上までの距離との関係から、机上面との傾斜角が５０〜７０°（喫煙者側から見た場合には１１０〜１３０°）程度が望ましい。
【００４１】
ここで特に気をつけたい点はフード１１５の先端の机上からの高さである。この高さを喫煙者がタバコ煙３０１を本清浄機側に吐き出したときの机上からの高さに対して高く設定する必要がある。このフード１１５の先端の机上からの高さは、机２００の高さや人が座る椅子の高さ、また喫煙者の身長にもよるが、平均的には４００ｍｍ〜５００ｍｍ程度とすることが一般的である。
【００４２】
さて、フード１１５は本体に対して着脱および（あるいは）折りたたみ可能な構成であることが望ましい。たとえば、部屋全体の汚れを清浄化する場合には、吸込口１０５の上部と側部から逃げるタバコ煙３０１の吸込効率を心配する必要がなくなるからである。このような場合および非使用時には、フード１１５を本体から外したり、あるいは折りたたむことにより、使用時以外での小型化が実現する。
【００４３】
フード１１５が本体から取り外すことができる構成とすることにより、フード１１５を取り外した後、吸込口１０５を覆うようにして装着（たとえば図３の二点鎖線参照）することにより、製品自体の大きさを小さくできると共に、運転停止中に集塵部や脱臭部から放出される臭いが内部から外にでることを抑制することができる。
【００４４】
また、フード１１５が折りたたみ可能な構成である場合にも上述と同様の効果がある。折りたたまれたフード１１５は、できれば隙間なく吸込口１０５を覆っていることが望ましいが、特に吸込口１０５にピッタリと接しておらず吸込口１０５から多少離れていても（たとえば図３の一点鎖線参照）、吸込口１０５から発散される臭いの拡散を抑制する効果がある。
【００４５】
ところで、フード１１５はデザインを考慮すると、半透明色（実際には透過率５０％といったグレードを選択する）のプラスチック材料による成形品とする。たとえば、黄色（黄ばみが目立たない）、ピンク、青といった着色されたスケルトンカラーにすることが、製品の設置環境（部屋など）や使用者の好みに対応させることができる。また、半透明にすることにより、半透明ではない場合に比べて使用者に対する圧迫感を与えず、かつ製品も見かけ上小さくみえる効果が期待できる。
【００４６】
【発明の効果】
以上説明したように、本発明にかかる卓上用空気清浄機（請求項１）によれば、喫煙者が吐き出すタバコ煙を吸込んで、粉塵と共に捕集して脱臭し、清浄空気を吐き出す空気清浄機において、特に、吸込口が設けられている面を喫煙者に対向するように所定角で傾斜させ、かつ吸込口の上部にフード（導風壁）を装着する構成とし、装置近傍でタバコが吸われた場合、その副流煙や主流煙をフード（導風壁）によって吸込口上部から逃がさずに導くことにより、タバコ煙が周囲に拡散することを回避することが可能になるので、周囲や非喫煙者への影響を抑制することができると共に、製品の高さ寸法を一定とした場合、吸込口が設けられている面を所定角をもって吸込口面が傾斜することにより、その分、吸込み面積を大きくすることが可能になるため、小型で吸込面積の広い卓上用空気清浄機が実現する。
【００４７】
また、本発明にかかる卓上用空気清浄機（請求項２）によれば、、請求項１において、吸込口面の上部および側部をフード（導風壁）で囲んで覆うことにより、その覆われた範囲において、タバコから発生した副流煙および主流煙がきた場合にタバコ煙を周囲に逃がさずに導くことが可能になるため、さらにタバコ煙や有害ガスを吸込み、除去することができる。
【００４８】
また、本発明にかかる卓上用空気清浄機（請求項３）によれば、請求項１または２において、本機がタバコの煙の発生源付近で使用されない場合、機能的な役割を果たさないフード（導風壁）を取り外して別のところにおくことが可能なため、非使用時のおいて本体の大きさが小さくでき、かつ持ち運びが容易に行なえる。
【００４９】
また、本発明にかかる卓上用空気清浄機（請求項４）によれば、請求項１、２または３において、フード（導風壁）が吸込口面が設けられた面に開閉可能、すなわち折りたためる構成とすることにより、取り外すことなく、フードをおくスペースを装置上で確保することが可能になるため、取り外したフードを置くスペースが不要になる。
【００５０】
また、本発明にかかる卓上用空気清浄機（請求項５）によれば、請求項３において、フード（導風壁）を本体から取り外した後、吸込口面を覆うような形で収納し装着することにより、装置が運転状態でない場合においてタバコのヤニやタール、ニコチンを除去した集塵部・脱臭部からの臭いの漏れを抑制することが可能になるため、周囲の人を不快にさせることがなくなる。
【００５１】
また、本発明にかかる卓上用空気清浄機（請求項６）によれば、請求項４において、フード（導風壁）を本体から取り外すことなく吸込口面を覆うような形で閉じられるので、装置が運転状態でない場合においてタバコのヤニやタール、ニコチンを除去した集塵部・脱臭部からの臭いの漏れ抑制を、簡単な操作で抑制することができる。
【００５２】
また、本発明にかかる卓上用空気清浄機（請求項７）によれば、請求項１〜６の何れか一つにおいて、フード（導風壁）を半透明のプラスチック材料で形成するので、製品の見かけ上の大きさをあまり大きくみせることなく、使用者に対する圧迫感をなくすことができ、さらに、タバコの煙が実際に吸込まれる様子を、装置の正面および側部から確認することができる。
【００５３】
また、本発明にかかる卓上用空気清浄機（請求項８）によれば、請求項１において、吸込口面の左右側部に、ある一定の高さのリブ形状を設けることにより、吸込口近傍まで達したタバコ煙を、吸込口の左右方向に逃がすことなく吸引することが可能になるため、その煙や有害ガスを効率よく捕集し、清浄化させることができる。
【００５４】
また、本発明にかかる卓上用空気清浄機（請求項９）によれば、請求項１において、製品の高さ寸法を一定とした場合、吸込口が設けられている面を、喫煙者側の机上面から１２０度前後に傾斜することにより、たとえば、１２０度の場合、垂直と比較してその吸込み面積を２／１．７３倍に広くすることが可能になるので、小さな装置で吸煙および清浄効率のよい空気清浄機能が実現する。
【図面の簡単な説明】
【図１】本発明の実施の形態にかかる卓上用空気清浄機の主要構成およびその使用状態、空気の流れを示す説明図である。
【図２】図１における卓上用空気清浄機の空気の流れを模式的に示したブロック図である。
【図３】図１における卓上用空気清浄機の概観構成を示す側面図である。
【図４】図１における卓上用空気清浄機における吸込面側からみた概観構成を示す正面図である。
【符号の説明】
１００  空気清浄機
１０１  集塵部
１０２  脱臭部
１０３  送風部
１０５  吸込口
１１０  リブ
１１５  フード
１１６  装着部
１２０  清浄空気
３００  タバコ
３０１  タバコ煙
【図１】
2004163006.tif 000003
【図２】
2004163006.tif 000004
【図３】
2004163006.tif 000005
【図４】
2004163006.tif 000006